(57)【要約】【課題】  本発明の目的は、開口した２本の延伸部の間にニキビを位置させて延伸部を押しつけることでニキビを容易に絞り潰すようにしたニキビの除去具を提供することにある。【解決手段】    保持部１０１と、前記保持部１０１から互いに対向分岐して延出した第１の延伸部１１０と第２の延伸部１２０と、前記第１、第２の延伸部１１０、１２０の内側に形成したニキビ挿入孔１１４とからなるニキビ除去具１００。
2005529647.tif 000002
【特許請求の範囲】
【請求項１】
保持部１０１と、
前記保持部１０１から互いに対向分岐して延出した第１の延伸部１１０と第２の延伸部１２０と、
前記第１、第２の延伸部１１０、１２０の内側に形成したニキビ挿入孔１１４とからなる
ニキビ除去具１００。
【請求項２】
多数の溝１１２、１２１及び突起１１１、１２２を有する多数の凹凸部を前記第１及び第２の延伸部１１０、１２０の内接面に形成してなる請求の範囲１に記載のニキビ除去具。
【請求項３】
前記押圧部１０６の底部を凸曲面に形成してなる請求の範囲１乃至２に記載のニキビ除去具。
【請求項４】
前記第１及び第２の延伸部１１０、１２０の間隔を挿入孔１１４から先端に向かって次第に狭くしてなる請求の範囲１乃至２に記載のニキビ除去具。
【請求項５】
前記保持部１０１から直交方向に設けた補助把持部１０３を有する請求の範囲１に記載のニキビ除去具。
【請求項６】
前記保持部の上端部を球状にしたマッサージボールを有する請求の範囲１に記載のニキビ除去具。
【発明の詳細な説明】
【技術分野】
【０００１】
本発明はニキビ除去具に関し、特に、対向状に分岐する２本の延伸部によってニキビを容易に絞り潰せるニキビ除去具に関する。
【背景技術】
【０００２】
思春期の吹き出ものであるニキビは青春のシンボルとも言われ、思春期に分泌し始めるホルモンによって皮脂腺が刺激を受けて皮脂の分泌が増進し、これにより皮脂腺が肥大して皮脂分泌が旺盛になるためにニキビが生じるが、ニキビは３０〜４０代の女性やストレスを多く受ける男性など、どんな人にでも発症する最もありふれた皮膚疾患であり、皮脂腺が集中している顔、首、胸などに見られ、毛髪を作る毛嚢回りの皮脂腺に起こる炎症がニキビである。
【０００３】
思春期のニキビは一時的な生理現象と見られるが、ニキビをうまく処理しないと永久的な瘢痕となることもある。
ニキビを指の爪で挟んだり、ポールペンなどの道具で絞り潰しているが、これは不衛生であり、不衛生な爪や道具に付着した黴菌で二次菌感染を起こすことがあり、その結果、ニキビを潰した部位が化膿してニキビ痕を残すことになる。
【０００４】
図１、２Ａ、２Ｂに示すように、保持部１０と、中継部２０、押圧部３０とからなる従来のニキビ除去具を使ってニキビを除去することができる。この器具には、押圧部３０の挿入孔３４に形成した開口３２が線状に形成されており、これがためにニキビを横から効果的に押圧できないので、ニキビを簡単に絞り潰すことができず、強く押圧するだけになる。
【０００５】
一方、ニキビの大きさに応じた挿入孔３４を持つ複数一組のニキビ除去具を使用しなければならない。また、押圧部３０の底面を平坦に形成しているので、ニキビを効果的に絞り出せない。しかも、ニキビを絞り出してからの後処理を怠ると、ニキビあとの穴が開いたまま残ってしまう。
【発明の開示】
【発明が解決しようとする課題】
【０００６】
上記問題を解決するために本発明の目的は、開口した２本の延伸部の間にニキビを位置させて延伸部を押しつけることでニキビを容易に絞り潰すようにしたニキビの除去具を提供することにある。
【０００７】
本発明の他の目的は、２本の延伸部の各側面に形成した少なくとも１つの凹凸部がニキビを横から交互に押圧してより効果的にニキビを絞り潰すようにしたニキビの除去具を提供することにある。
【０００８】
本発明のその他の目的は、押圧部の底面を曲面状に形成してニキビを集中的に押圧してニキビを容易に絞り潰すようにしたニキビの除去具を提供することにある。
【０００９】
本発明の更にその他の目的は、２本の延伸部を先端に向かって次第に狭く形成して、２本の延伸部を押しつけてニキビの側面をより強く圧迫することで効果的にニキビを絞り潰すようにしたニキビの除去具を提供することにある。
【００１０】
本発明の更にその他の目的は、保持部の側面に補助把持部を設けてニキビ除去中に除去具が空回りしないようにしたニキビの除去具を提供することにある。
【００１１】
本発明の他の目的は、保持部の上端部にマッサージボールを設けてニキビ除去後に開いたニキビあとの毛穴をマッサージによって塞げるようにしたニキビの除去具を提供することにある。
【課題を解決するための手段】
【００１２】
上記目的を達成するために本発明によるニキビ除去具は、保持部と、前記保持部から互いに対向分岐して延出した第１の延伸部と第２の延伸部と、前記第１、第２の延伸部の内側に形成したニキビ挿入孔とからなる。
【００１３】
前記第１の延伸部と第２の延伸部の内接面に互いに対応した多数の凹凸部を形成することが望ましい。
【００１４】
前記押圧部の底部を凸曲面で形成することが望ましい。
【００１５】
前記第１の延伸部と第２の延伸部の間隔を挿入孔から先端に向かって次第に狭くすることが望ましい。
【００１６】
本発明によるニキビ除去具に、保持部から直交方向に形成した補助把持部を設けるとよい。
【００１７】
更に、本発明によるニキビ除去具に、保持部上端部を球状にしたマッサージボールを設けるとよい。
【００１８】
上記構成を備えた本発明のニキビ除去具によれば、分岐状の延伸部でニキビを横から徐々に圧迫することによってニキビを簡単に除去することができる。
【発明の効果】
【００１９】
上述したようにこのニキビ除去具は、第１および第２の延伸部の手段でニキビの側部を圧迫することによってニキビを簡単に絞り出す効果を供する。換言すれば、本発明によれば、側方圧迫力と僅かな押圧力による最小限の圧力でニキビを絞り出すことができる。
【００２０】
また、本発明によれば、一組のニキビ除去具だけで様々な形態のニキビを除去でき、ニキビの大きさに合わせてニキビを最適に処理できる効果も有している。
【００２１】
更に、本発明によるマッサージボールを有するニキビ除去具は、ニキビを絞り出して皮脂塊を取り除いた後のニキビあとの毛穴を優しくマッサージしてニキビあとの穴を塞ぐ効果も有している。
【００２２】
本発明は上記した実施例のみに限定するものではなく、本発明の思想及び権利請求の範囲に逸脱することなく本発明を様々に変更乃至改変可能であることは当該技術分野の技術者であれば自明のことである。
【発明を実施するための最良の形態】
【００２３】
本発明の好ましい実施例を添付の図面に従って詳細に説明する。
図３は本発明のニキビ除去具の第１実施例を示す斜視図、図４は図３における押圧部を示す部分拡大斜視図、図５Ａは図３における押圧部を示す平面図、図５Ｂは図３における押圧部を示す側面図である。
【００２４】
図３乃至図５Ｂに示すように、ニキビ除去具１００は主として、保持部１０１と、押圧部１０６よりなる。
【００２５】
保持部１０１に凹凸面１０２を設けて保持部１０１をうまく手で掴めるようになっている。
【００２６】
押圧部１０６は中継部１０４に連結して保持部１０１と一体化しており、この押圧部には第１の延伸部１１０と第２の延伸部１０２が設けられ、両延伸部を互いに対向させて一部が開口した挿入孔１１４を有し、挿入孔の開口を次第に狭くし、且つ、押圧部１０６の底面を凸曲面状に形成している。
【００２７】
図６は本発明のニキビ除去具の第２実施例における押圧部を示す平面図を示している。
【００２８】
図６に示したニキビ除去具１００では、第１の延伸部１１０と第２の延伸部１２０の内接面は次第に狭まっており、多数の溝１１２、１２１と突起１１１、１２２が凹凸対応して形成されている。押圧部１０６の底部を凸曲面状に形成している。多数の溝１１２、１２１と突起１１１、１２２には、第１、第２の延伸部１１０、１２０の手段によるニキビへの押圧力を増大させる働きがある。
【００２９】
図７は本発明のニキビ除去具の第３実施例における押圧部を示す斜視図である。
【００３０】
図７に示す本発明のニキビ除去具は、保持部１０１と、押圧部１０６と、マッサージボール１０８からなる。
【００３１】
保持部１０１は直交方向に延設された補助把持部１０３を備え、且つ、保持部１０１の長さ方向に沿って凹凸面１０２を形成することで、手で掴んだ保持部が空回りしないようにしている。
【００３２】
押圧部１０６の構成は上記第１実施例と同様であるが、上記第２実施例と同じようにしてもよい。
【００３３】
マッサージボール１０８は、保持部１０１の上端部を球状に形成してなり、接続部１０５に接続して保持部１０１と一体になっている。
【００３４】
図８Ａ乃至８Ｄは本発明のニキビ除去具を使ってニキビを絞り潰す状態の断面図である。
【００３５】
図８Ａ乃至８Ｄに示した本発明のニキビ除去具１００では、保持部１０１の凹凸面１０２を２本の指で掴むように保持部１０１を把持する。図８Ａに示すように、押圧部１０６の中央部に形成した挿入孔１１４をニキビａに位置づけて、次に、図８Ｂに示すように、第１及び第２の延伸部１１０、１２０の先端間に形成された開口にニキビを通し、押圧部１０６を押しつけながら押圧部１０６の底面の凸曲面を滑らせるようにニキビ除去具１００を滑らかに動かす。このように、図８Ｃに示すようにニキビａの周囲を押圧した状態で押圧部１０６の底面すべらせて移動させると、第１および第２の延伸部１１０、１２０がニキビａの側部を圧迫し、これによってニキビａに対する垂直方向の圧力を強くすることなく側圧力によってニキビを簡単に押し開くことができる。
【００３６】
また、本発明の第２実施例の場合は、ニキビが第１、第２の延伸部１１０、１２０に対向状に設けた多数の溝１１２、１２１と突起１１１、１２２との間を通り、交互に押圧圧迫され、ニキビが簡単に絞り開くことになる。
【００３７】
一方、本発明の第３実施例のマッサージボール１０８を用いてニキビが絞り出された部位から皮脂塊を取り除いて、その部位を優しくマッサージすることで、ニキビ除去後に絞り開いたニキビあとの毛穴を塞ぐことができる。
【図面の簡単な説明】
【００３８】
【図１】従来のニキビ除去具を示す斜視図である。
【図２Ａ】図１の従来のニキビ除去具の押圧部を示す平面図である。
【図２Ｂ】図１の従来のニキビ除去具の押圧部を示す側面図である。
【図３】図３は本発明のニキビ除去具の第１実施例を示す斜視図である。
【図４】図３の本発明のニキビ除去具の押圧部を示す部分拡大斜視図である。
【図５Ａ】図３の本発明のニキビ除去具の押圧部を示す平面図である。
【図５Ｂ】図３の本発明のニキビ除去具の押圧部を示す側面図である。
【図６】本発明のニキビ除去具の第２実施例における押圧部を示す平面図である。
【図７】本発明のニキビ除去具の第３実施例における押圧部を示す斜視図である。
【図８Ａ】本発明のニキビ除去具を使ってニキビを絞り潰す状態の断面図である。
【図８Ｂ】本発明のニキビ除去具を使ってニキビを絞り潰す状態の断面図である。
【図８Ｃ】本発明のニキビ除去具を使ってニキビを絞り潰す状態の断面図である。
【図８Ｄ】本発明のニキビ除去具を使ってニキビを絞り潰す状態の断面図である。
【図１】
2005529647.tif 000003
【図２Ａ】
2005529647.tif 000004
【図２Ｂ】
2005529647.tif 000005
【図３】
2005529647.tif 000006
【図４】
2005529647.tif 000007
【図５Ａ】
2005529647.tif 000008
【図５Ｂ】
2005529647.tif 000009
【図６】
2005529647.tif 000010
【図７】
2005529647.tif 000011
【図８Ａ】
2005529647.tif 000012
【図８Ｂ】
2005529647.tif 000013
【図８Ｃ】
2005529647.tif 000014
【図８Ｄ】
2005529647.tif 000015
【国際調査報告】
2005529647.tif 000016
2005529647.tif 000017